(57)【要約】【課題】シート状媒体に対する記録と板状の部材に対する記録を、その種別に応じて異なる記録装置を用意して使い分けしなければならないといった不具合を解消することができるインクジェット記録装置を提供する。【解決手段】本発明のインクジェット記録装置においては、インクジェットヘッドの移動経路直下に選択的に位置付け可能に設けられるフレームに互いに対向配置される主動プーリならびに従動プーリに架渡される搬送ベルトよりなる被記録媒体搬送手段を設け、シート状媒体以外の被記録媒体に記録を行う場合は、被記録媒体搬送手段をインクジェットヘッドの移動経路直下に位置付け、駆動プーリを回転駆動することにより搬送ベルト上に載置した被記録媒体を副走査方向に搬送して記録を行うよう構成した。【選択図】        図２
2006143337.tif 000002
【特許請求の範囲】
【請求項１】
シート状媒体を副走査方向に搬送するとともにインクジェットヘッドを主走査方向に移動させて画像データに基づき所望の記録を行うインクジェット記録装置において、
上記インクジェットヘッドの移動経路直下に選択的に位置付け可能に設けられ、被記録媒体を載置するとともにこれを副走査方向に搬送する被記録媒体搬送手段を有し、
上記シート状媒体以外の被記録媒体に記録を行う場合は、上記被記録媒体搬送手段をインクジェットヘッドの移動経路直下に位置付け、載置した被記録媒体を副走査方向に搬送して記録を行うことを特徴とするインクジェット記録装置。
【請求項２】
上記被記録媒体搬送手段は、インクジェット記録装置本体に対して着脱可能に設けられることを特徴とする請求項１記載のインクジェット記録装置。
【請求項３】
上記被記録媒体搬送手段は、インクジェット記録装置本体に対して進退可能に設けられることにより、上記インクジェットヘッドの移動経路直下に選択的に位置付けられることを特徴とする請求項１記載のインクジェット記録装置。
【請求項４】
上記被記録媒体搬送手段は、上記シート状媒体が記録装置本体に取り付けられた状態で、上記インクジェットヘッドの移動経路直下に選択的に位置付けられるよう設けられたことを特徴とする請求項１乃至３の何れかに記載のインクジェット記録装置。
【請求項５】
記録すべき被記録媒体の種別に応じて上記インクジェットヘッドを被記録媒体に対して近接，離反させる昇降手段を設けたことを特徴とする請求項１乃至４の何れかに記載のインクジェット記録装置。
【請求項６】
上記被記録媒体搬送手段は、インクジェットヘッドの移動経路直下に選択的に位置付け可能に設けられるフレーム、およびこのフレームに互いに対向配置される主動プーリならびに従動プーリに架渡される搬送ベルトよりなり、
上記シート状媒体以外の被記録媒体に記録を行う場合は、上記フレームをインクジェットヘッドの移動経路直下に位置付け、駆動プーリを回転駆動することにより搬送ベルト上に載置した被記録媒体を副走査方向に搬送して記録を行うことを特徴とする請求項１乃至５の何れかに記載のインクジェット記録装置。
【請求項７】
上記被記録媒体搬送手段は、上記搬送ベルトが主走査方向に複数設けられることを特徴とする請求項６記載のインクジェット記録装置。
【発明の詳細な説明】
【技術分野】
【０００１】
本発明は被記録媒体を搬送し、インクジェットヘッドによりこの被記録媒体に所望の画像を形成する媒体移送型のインクジェット記録装置に関するものである。
【背景技術】
【０００２】
図７は、長尺のシート状媒体をロール状に巻回した被記録媒体を使用し、このシート状媒体を駆動ローラおよびピンチローラとで挟持して、駆動ローラを回転駆動することによりシート状媒体を副走査方向に搬送するとともに、インクジェットヘッドを主走査方向に往復動させながら画像信号に基づいてインクジェットヘッドのノズルよりインクを吐出して記録を行う媒体移送型のインクジェット記録装置を示す図であり、図において１は記録装置本体、２はインクジェットヘッド、３はインクジェットヘッド２を支持するキャリッジ、４はこのキャリッジ３が主走査方向に摺動するよう設けられるＹバー、５は駆動ローラ５１およびピンチローラ５２よりなる駆動機構、６はロール状に巻回されたシート状媒体よりなり駆動機構５により副走査方向へ搬送される被記録媒体である。
このインクジェット記録装置で被記録媒体に画像を形成する場合は、被記録媒体６をプラテン１１上に一時的に停止させ、キャリッジ３を主走査方向に移動させるとともに、画像信号に基づいてインクジェットヘッド２のノズルよりインクを吐出して１バンド分の画像を形成し、続いて駆動ローラ５１を所定量回転させることにより被記録媒体６を１バンド分だけ搬送して次のバンド分の画像を形成する動作を順次行うことにより、一画面分の画像を形成するよう構成されている。
このロール状媒体を用いたインクジェット記録装置において、長尺の記録或いは連続して複数画面の記録を行うような場合においては、順次搬送される記録済みのシート状媒体が床等に接触して汚れるといった不具合が生じないように、その副走査方向下流側に記録済みのシート状媒体を巻き取る機構が設けられる。この記録済みのシート状媒体巻取機構６１は、記録済みのシート状媒体の表面に吐出されたインクが十分乾燥するよう、プラテン１１およびインクジェットヘッド２よりなる記録部より、副走査方向下流側に適宜離れた箇所に設けられている。
【発明の開示】
【発明が解決しようとする課題】
【０００３】
上述の被記録媒体移送型のインクジェット記録装置は、コート紙，トレーシングペーパー等の記録紙或いはフィルム材や布帛といった材料を被記録媒体として用いる場合に好適であり、この装置により例えばプレゼンテーションボードやサインボード，木材，フルート，金属板，樹脂ボード等といった厚みのある板状の部材に対して記録を行うといった場合は、上述のような駆動ローラおよびピンチローラからなる駆動機構５によりこれを搬送させることは困難であり、これら板状の部材に対してインクジェット記録を行うためには、板状部材を載置可能なベッドを有し、この載置ベッドに対してＹバー４を副走査方向に移動可能に設けたインクジェット記録装置を用いるか、または例えば無端ベルトからなる搬送機構などを有して板状の部材を副走査方向に移動可能に設けられるインクジェット記録装置を用いる必要があり、被記録媒体の種別に応じて異なる記録装置を用意して、これらを使い分けしなければならず、尚且つ設置スペースも確保しなければならない等といった不具合を生じていた。
本願発明は、これら不具合を解消するためになされたものである。
【特許文献１】特開平０８−２０７２６３号公報
【課題を解決するための手段】
【０００４】
本発明のインクジェット記録装置においては、インクジェットヘッドの移動経路直下に選択的に位置付け可能に設けられるフレームに、互いに対向配置される主動プーリならびに従動プーリに架渡される搬送ベルトよりなる被記録媒体搬送手段を有し、シート状媒体以外の被記録媒体に記録を行う場合は、被記録媒体搬送手段をインクジェットヘッドの移動経路直下に位置付け、駆動プーリを回転駆動することにより搬送ベルト上に載置した被記録媒体を副走査方向に搬送して記録を行うよう構成した。
【発明の効果】
【０００５】
本発明のインクジェット記録装置によれば、シート状媒体或いは板状部材の何れの被記録媒体に対しても記録を行うことが可能となる。
【発明を実施するための最良の形態】
【０００６】
板状部材に記録を行う際は、互いに対向配置される主動プーリならびに従動プーリに架渡される搬送ベルトよりなる被記録媒体搬送手段をインクジェットヘッドの移動経路直下に位置付け、搬送ベルト上に板状部材を載置して駆動プーリを回転駆動させることによりこれを副走査方向に搬送するよう構成した。
【実施例１】
【０００７】
以下図面に基づいて、本発明のインクジェット記録装置を説明する。
図１は本発明のインクジェット記録装置を示す図であり、上述の従来の装置と同等の構成については同一の符号が付与されている。
図において、７は記録装置本体１に対して記録部（インクジェットヘッド２の移動経路直下）に選択的に位置付け可能な被記録媒体搬送手段である媒体搬送ユニットであり、この媒体搬送ユニット７は図２に示すとおり、フレーム７０と、このフレーム７０に図のＸ軸方向に互いに対向して配置される主動プーリである駆動プーリ７１および従動プーリ７２、ならびにこれら駆動プーリ７１および従動プーリ７２に架渡される無端ベルトよりなる搬送ベルト７３と、駆動プーリ７１をベアリング７８を介してフレーム７０に回転可能にを支持する駆動シャフト７４、従動プーリ７２をベアリング７８を介してフレーム７０に回転可能に支持する従動シャフト７５、駆動シャフト７４に取り付けられたギヤ７７に歯合してこれを回転駆動するフレーム７０に取り付けられた搬送駆動モータ７６（図２（ｃ））により構成されている。
図の実施例においては、１組の駆動プーリ７１，従動プーリ７２および搬送ベルト７３が、駆動シャフト７４および従動シャフト７５に複数設けられており、この媒体搬送ユニット７を用いて記録動作を行う際には、搬送ベルト７３上に被記録媒体８を載置し、搬送駆動モータ７６によりその回転駆動力をギヤ７７を介して駆動シャフト７４に伝達し、駆動プーリ７１を回転駆動させて搬送ベルト７３を駆動することにより、搬送ベルト７３上に載置された被記録媒体８を図のＸ方向へ搬送するよう構成されている。
媒体搬送ユニット７のフレーム７０には、図のＹ軸方向の両端部分、すなわちベアリング７８が設けられる両端部分の下側に嵌合孔７９が設けられており（図２（ｂ））、この嵌合孔７９が記録装置本体１のプラテン１１のＹ軸方向両側に設けられる突起部１８に嵌合するよう設けられ、これにより媒体搬送ユニット７が記録装置１に位置付けられるよう構成されている。
【０００８】
本発明のインクジェット記録装置は、被記録媒体の種別に応じて媒体搬送ユニット７を着脱可能とするために、インクジェットヘッド２（スライダ３)ならびにピンチローラ５２が支持されるＹバー４を、プラテン１１に対して近接（圧接），離反させるための昇降機構が設けられている。この昇降機構は、図１および図３に示されるとおり、Ｙバー４を支持する支柱１３と、この支柱１３を支持し、記録装置本体１に対して垂直方向（図のＺ軸方向）に摺動するよう架台１２に取り付けられるスライダ１４、このスライダ１４に設けられるナット部材１６に係合するよう架台１２に回転可能に支持されるネジ軸１５とにより構成され、これらＹバー４を支持する支柱１３，スライダ１４および架台１２に設けられるネジ軸１５は、図３に示されるとおり、記録装置本体１のＹ軸方向両側にそれぞれ設けられている。また、Ｙ軸方向一方の側の昇降機構には、ネジ軸１５に設けられたギヤに歯合する昇降駆動モータ１７が架台１２に設けられ、さらに両側のネジ軸１５に設けられるギヤに歯合するように無端ベルトが架渡されており、これにより昇降駆動モータ１７の回転駆動力がＹ軸方向両側のネジ軸１５に伝達され、それぞれの側のナット部材１６が取り付けられたスライダ１４ならびに支柱１３が同期してＺ軸方向に移動可能、すなわち昇降するよう構成されている。
【０００９】
次に、本発明のインクジェット記録装置による記録動作を説明する。
先ず、被記録媒体として、紙等の長尺のシート状媒体をロール状に巻回したロール状媒体を使用する場合、図４に示されるとおり、被記録媒体６の搬送経路上流側に設けられるロールストッカに支持されたロール状媒体６０から巻き戻されたシート状媒体６を、駆動ローラ５１，プラテン１１上を経由してシート状媒体巻取機構６１へ搬送し、昇降駆動モータ１７を駆動してスライダ１４（支柱１３）およびＹバー４を（図の−Ｚ方向に）降下させて、ピンチローラ５２をシート状媒体６を介して駆動ローラ５１に圧接し、これにより駆動ローラ５１とピンチローラ５２とでシート状媒体６を挟持する。この状態でキャリッジ３を主走査方向（Ｙ方向）に移動させるとともに、画像信号に基づいてインクジェットヘッド２のノズルよりインクを吐出して１バンド分の画像を形成し、続いて駆動ローラ５１を回転させてシート状媒体６を搬送して、次のバンド分画像を形成する動作を順次行うことにより、１画面分の画像を形成する。
【００１０】
他方、本発明のインクジェット記録装置により、厚みのある平板状の部材に対して記録を行う場合は、操作者は先ず、図４に示す状態から記録装置本体の操作部（図示せず）等より昇降駆動モータ１７を駆動させて、スライダ１４（支柱１３）およびＹバー４を図の＋Ｚ方向に上昇させて、インクジェットヘッド２およびピンチローラ５２をプラテン１１および駆動ローラ５１から離反させて停止する。（図５）
このインクジェットヘッド２およびピンチローラ５２がプラテン１１（駆動ローラ５１）より十分離反した状態で、操作者は媒体搬送ユニット７をプラテン１１上に載置する。この際、記録装置本体１上に設けられた突起部１８に、媒体搬送ユニット７の嵌合孔７９を嵌合させることにより、これを記録装置本体１に位置決め、取り付ける。
次に操作者は、記録装置本体１に取り付けられた媒体搬送ユニット７の上面に現れる搬送ベルト７３の上に、記録すべき平板状の部材８を載置し、図示しない操作部等により記録装置に対して初期動作の実行を設定する。この初期動作においては、図示しない記録装置の制御部は、スライダ３の下部に設けられた反射型光センサよりなる被記録媒体検出のためのセンサ３１の出力を監視しながら、昇降駆動モータ１７を駆動してスライダ１４（支柱１３）およびＹバー４を図の−Ｚ方向に下降させる。媒体検出センサ３１は、インクジェットヘッド２よりも被記録媒体搬送経路（図のＸ軸方向）上流側に設けられており、ピンチローラ５２が被記録媒体８（または６）に圧接した時点でその出力が変位する、すなわち「被記録媒体あり」を出力するよう調整されており、図示しない記録装置の制御部は、この媒体検出センサ３１が「被記録媒体あり」を出力したことを検出すると、昇降駆動モータ１７を停止する。この状態で、被記録媒体８は搬送ベルト７３とピンチローラ５２とで挟持されることとなる。次に制御部は、媒体搬送ユニット７の搬送駆動モータ７６を回転駆動することにより搬送ベルト７３を駆動して、被記録媒体８を図の−Ｘ軸方向へ搬送する。被記録媒体８を順次搬送し、媒体検出センサ３１より「被記録媒体なし」が出力されたことを検出した時点で、制御部は搬送駆動モータ７６を停止する。この時点で被記録媒体８のＸ軸方向、すなわち媒体搬送経路方向の端部検出が完了し、その後、制御装置は搬送駆動モータ７６を駆動して、被記録媒体８を図の＋Ｘ軸方向へセンサ３１とインクジェットヘッド２のＸ軸方向の離反距離分だけ搬送し、被記録媒体８の搬送経路方向の端部をインクジェットヘッド２の直下に位置付けて停止し、これにより初期動作が完了して、記録装置は記録動作待機状態となる。
記録動作においては、制御装置は、キャリッジ３を図のＹ軸方向（主走査方向）に移動させるとともに、画像信号に基づいてインクジェットヘッド２のノズルよりインクを吐出して１バンド分の画像を形成し、この１バンド分の画像形成が完了すると、搬送駆動モータ７６を駆動して被記録媒体８を図の＋Ｘ軸方向（副走査方向）へ１バンド分移動させて停止し、画像信号に基づいて続くバンド分の画像を形成し、以降同様の動作を順次行うことにより被記録媒体８上に１画面分の画像を形成する。
【００１１】
図の実施例においては、被記録媒体搬送手段７が１組の駆動プーリ７１，従動プーリ７２および搬送ベルト７３を主走査方向に複数設けて構成されているが、主走査方向に幅広に形成される一つの搬送ベルト７３でこれを構成してもよい。
【実施例２】
【００１２】
上述の実施例においては、インクジェットヘッドの移動経路直下に選択的に位置付け可能に設けられる被記録媒体搬送手段としての媒体搬送ユニット７を、記録装置本体１に対して着脱自在となるよう構成したが、媒体搬送ユニット７のＹ軸方向両側（すなわち図２におけるベアリング７８が設けられる）のフレーム７０を、記録装置本体１に対して媒体搬送経路方向、すなわち図のＸ軸方向に摺動するよう構成し、これにより媒体搬送ユニット７を記録装置本体に対して進退可能に設けるよう構成してもよい。
図６は、この第２実施例の構成を模式的に説明する図であり、この第２実施例の媒体搬送ユニット７においては、Ｙ軸方向両側のフレーム７０に、これを延長するよう補助フレーム７０１が回転支持部材７０２を介して結合されて構成されている。
フレーム７０ならびに補助フレーム７０１は、記録装置本体１のＹ軸方向両側において、互いに接する部分が例えばレール構造、或いはベアリング等よりなるスライド機構により支持される等の態様により、Ｘ軸方向に摺動可能となるよう構成されている。
この第２実施例の装置により、板状部材よりなる被記録媒体８に対して記録を行う場合には、図６（ａ）に示すとおり、媒体搬送ユニット７を図の＋Ｘ方向へ移動させて、インクジェットヘッド２の移動経路直下（すなわち記録部）に位置付け、他方、ロール状媒体６に記録を行う場合は、図６（ｂ）に示すとおり、媒体搬送ユニット７を図の−Ｘ方向へ移動させてこれを退避させ、プラテン１１をインクジェットヘッド２の直下に露出させるよう構成されている。尚、本実施例においては、補助フレーム７０１は媒体搬送ユニット７に対して回動可能となるように回転支持部材７０２により結合されているので、媒体搬送ユニット７が記録部に位置付けられている場合は、図６（ａ）に示すように、記録装置の前部両側で補助フレーム７０１が折り畳まれ、これにより記録装置の操作等の障害になることがなく、他方、媒体搬送ユニット７が記録部から退避する場合には、図６（ｂ）に示すとおり、媒体搬送ユニット７が記録装置の背面側に折り畳まれるよう支持することができ、これにより記録装置の設置スペースを小さくすることが可能となる。
【００１３】
以上詳述したとおり、本発明のインクジェット記録装置によれば、シート状媒体或いは板状部材の何れの被記録媒体に対しても記録を行うことが可能となり、特に板状部材に対して記録を行う際においても、記録装置にセットされているロール状媒体をその都度取り外すといった作業が不要となるという顕著な効果を奏するものである。
【図面の簡単な説明】
【００１４】
【図１】本発明のインクジェット記録装置の構成を示す図である。
【図２】本発明の被記録媒体搬送手段である媒体搬送ユニットを説明する図である。
【図３】本発明のインクジェット記録装置を示す正面図である。
【図４】本発明のインクジェット記録装置の構成を示す図である。
【図５】本発明のインクジェット記録装置の構成を示す図である。
【図６】本発明の第２実施例を示す図である。
【図７】従来のインクジェット記録装置の構成を示す図である。
【符号の説明】
【００１５】
１      記録装置装置本体
２      インクジェットヘッド
３      キャリッジ
４      Ｙバー
５      （媒体）駆動機構
６      シート状媒体
７      被記録媒体搬送手段
【図１】
2006143337.tif 000003
【図２】
2006143337.tif 000004
【図３】
2006143337.tif 000005
【図４】
2006143337.tif 000006
【図５】
2006143337.tif 000007
【図６】
2006143337.tif 000008
【図７】
2006143337.tif 000009